(57)【要約】【課題】ノーマルモード特性を良好にすることが可能となると共に、省スペース化も実現可能なコイル部品を提供すること。【解決手段】ドラムコア２０と、巻枠部２４に配置される第１のコイル３０Ａと、巻枠部２４に配置される第２のコイル３０Ｂと、ドラムコア２０を挿通させる挿通孔４１を備え、第１の鍔部２１または第２の鍔部２２のいずれかと対向する対向面４３ｂに少なくとも２つの切欠部４５が設けられていると共に、第１のコイル３０Ａおよび第２のコイル３０Ｂを囲むように配置されるリングコア４０と、リングコア４０のうち、切欠部４５の両端側に固定されると共に、端末３２Ａ，３２Ｂが接続される端子部材５０と、を具備し、切欠部４５からは端末３２Ａ，３２Ｂがそれぞれ引き出され、端末３２Ａは切欠部４５の一端側に位置する端子部材５０に電気的に接続されると共に、端末３２Ｂは切欠部４５の他端側に位置する端子部材５０に電気的に接続される。【選択図】図１
2008172155.tif 000002
【特許請求の範囲】
【請求項１】
第１の鍔部および第２の鍔部を備えると共に、これら第１の鍔部と第２の鍔部とを連結する柱脚部を有し、これら第１の鍔部、第２の鍔部および柱脚部で囲まれる巻枠部を有するドラムコアと、
第１の導線の巻回によって構成されると共に、上記巻枠部に配置される第１のコイルと、
第２の導線の巻回によって構成されると共に、上記巻枠部に配置される第２のコイルと、
上記ドラムコアを挿通させる挿通孔を備え、上記第１の鍔部または上記第２の鍔部のいずれかと対向する対向面に少なくとも２つの切欠部が設けられていると共に、上記第１のコイルおよび上記第２のコイルを囲むように配置されるリングコアと、
上記リングコアのうち、上記切欠部の両端側に固定されると共に、上記第１のコイルまたは上記第２のコイルの端末が接続される端子部材と、
を具備し、
上記切欠部からは上記第１のコイルの端末と上記第２のコイルの端末がそれぞれ引き出され、上記第１のコイルの端末は上記切欠部の一端側に位置する端子部材に電気的に接続されると共に、上記第２のコイルの端末は上記切欠部の他端側に位置する端子部材に電気的に接続される、
ことを特徴とするコイル部品。
【請求項２】
前記リングコアには、少なくとも４つの周壁部と、当該周壁部よりも窪んでいると共に隣り合う上記周壁部が交差する部位に設けられる窪み部と、が設けられていて、
前記端子部材には、前記端末を絡げるための絡げ部が設けられていて、
前記端子部材は、上記４つの周壁部を結んだ平面視矩形状の内部に収まる状態で上記窪み部に取り付けられると共に、上記絡げ部は前記切欠部から離間する方向に向かって延伸する、
ことを特徴とする請求項１記載のコイル部品。
【請求項３】
前記端子部材には、実装基板に実装するための実装部と、該実装部の先端側から延伸すると共に当該端子部材の位置決めを行うための位置決め部と、が設けられていて、
上記リングコアには、前記対向面とは反対側の面であると共に上記実装部が取り付けられる実装面と、該実装面から前記対向面に向かって窪んでいると共に上記位置決め部が入り込んで前記端子部材の位置決めを行う位置決め凹部と、が設けられている、
ことを特徴とする請求項１または２記載のコイル部品。
【発明の詳細な説明】
【技術分野】
【０００１】
本発明は、各種の電子機器に実装されるコイル部品に関する。
【背景技術】
【０００２】
従来より、コモンモード成分のノイズ的な信号（コモンモード信号）を除去するため、コイル部品としての種々のコモンモードチョークコイルが用いられている。コモンモードチョークコイルにおいては、ノーマルモード成分の信号（ノーマルモード信号）の減衰をさほど生じさせずにそのまま透過させるという、ノーマルモード特性が良好であることが望まれている。かかるコモンモードチョークコイルのうち、直流用のものは、直流抵抗を小さくして定格電流を確保するために、比較的太い導線を用いている。また、コモンモードチョークコイルでは、一般に、ノーマルモードにおけるインピーダンスが低いほど、ノーマルモード特性が良好である、と言える。
【０００３】
なお、かかるコモンモードチョークコイルには、ドラムコアとリングコアとを用いるタイプがある。このようなタイプのコモンモードチョークコイルとしては、特許文献１に開示されているものがある。
【０００４】
【特許文献１】特開２００６−２１０８２７号公報（要約、図２、図６等参照）
【発明の開示】
【発明が解決しようとする課題】
【０００５】
ところで、上述のコモンモードチョークコイルにおいては、一層、ノーマルモード特性が良好であることが求められている。また、コモンモードチョークコイルには、小スペース化の要請もある。ここで、使用される周波数帯域において、インピーダンスが低ければ低いほど、ノーマルモード特性が良好であると言える。しかしながら、特許文献１に開示されているタイプのコモンモードチョークコイルにおいて、更にインピーダンスを低下させることは、非常に困難となっている。
【０００６】
また、直流抵抗を小さくするために、比較的太い導線を用いる場合、導線と端子とを接合する絡げ部分のスペースが大きくなってしまい、コモンモードチョークコイルの省スペース化が困難となる、という不具合がある。
【０００７】
本発明は上記の事情にもとづきなされたもので、その目的とするところは、ノーマルモード特性を良好にすることが可能となると共に、省スペース化も実現可能なコイル部品を提供しよう、とするものである。
【課題を解決するための手段】
【０００８】
上記課題を解決するために、本発明は、第１の鍔部および第２の鍔部を備えると共に、これら第１の鍔部と第２の鍔部とを連結する柱脚部を有し、これら第１の鍔部、第２の鍔部および柱脚部で囲まれる巻枠部を有するドラムコアと、第１の導線の巻回によって構成されると共に、巻枠部に配置される第１のコイルと、第２の導線の巻回によって構成されると共に、巻枠部に配置される第２のコイルと、ドラムコアを挿通させる挿通孔を備え、第１の鍔部または第２の鍔部のいずれかと対向する対向面に少なくとも２つの切欠部が設けられていると共に、第１のコイルおよび第２のコイルを囲むように配置されるリングコアと、リングコアのうち、切欠部の両端側に固定されると共に、第１のコイルまたは第２のコイルの端末が接続される端子部材と、を具備し、切欠部からは第１のコイルの端末と第２のコイルの端末がそれぞれ引き出され、第１のコイルの端末は切欠部の一端側に位置する端子部材に電気的に接続されると共に、第２のコイルの端末は切欠部の他端側に位置する端子部材に電気的に接続されるものである。
【０００９】
このように構成する場合、第１のコイルの端末と、第２のコイルの端末とは、同一の切欠部から引き出される。そのため、第１のコイルと、第２のコイルとは、同一の切欠部に巻き始め側の端末が存在する状態となると共に、同一の切欠部に巻き終わり側の端末が存在する状態となる。それにより、第１のコイルと第２のコイルとは、同一の巻数を実現可能となる。加えて、第１のコイルと第２のコイルとは、周方向における巻回の開始位置／終了位置を概ね等しくすることが可能となる。それにより、ノーマル信号が第１のコイルと第２のコイルとに入力される場合、第１のコイルと第２のコイルとの間で磁束を打ち消し合い、インピーダンスが増加するのを抑えることが可能となる。すなわち、従来のコイル部品と比較して、インピーダンスを低下させることが可能となる。
【００１０】
また、他の発明は、上述の発明に加えて更に、リングコアには、少なくとも４つの周壁部と、当該周壁部よりも窪んでいると共に隣り合う周壁部が交差する部位に設けられる窪み部と、が設けられていて、端子部材には、端末を絡げるための絡げ部が設けられていて、端子部材は、４つの周壁部を結んだ平面視矩形状の内部に収まる状態で窪み部に取り付けられると共に、絡げ部は切欠部から離間する方向に向かって延伸するものである。
【００１１】
このように、端子部材は、窪み部に配置されるが、この端子部材は、４つの周壁部を結んだ平面視矩形状の内部に収まる状態で配置される。そのため、端子部材が外方に突出するのを防ぐことが可能となり、コイル部品の省スペース化を図ることが可能となる。また、端子部材には、絡げ部が設けられているので、第１のコイルまたは第２のコイルの端末を良好に絡げさせることが可能となる。
【００１２】
さらに、他の発明は、上述の各発明に加えて更に、端子部材には、実装基板に実装するための実装部と、該実装部の先端側から延伸すると共に当該端子部材の位置決めを行うための位置決め部と、が設けられていて、リングコアには、対向面とは反対側の面であると共に実装部が取り付けられる実装面と、該実装面から対向面に向かって窪んでいると共に位置決め部が入り込んで端子部材の位置決めを行う位置決め凹部と、が設けられているものである。
【００１３】
このように、端子部材には、実装部が設けられていることにより、実装基板に対して端子部材を良好に実装可能となる。また、端子部材には、位置決め部が設けられているため、リングコアに対して端子部材の位置決めを良好に行わせる状態で、取付固定させることが可能となる。それにより、リングコアに対する、端子部材の接着強度を向上させることが可能となり、コイル部品の耐衝撃性を向上させることが可能となる。
【発明の効果】
【００１４】
本発明によると、コイル部品におけるノーマルモード特性を良好にすることが可能となる。また、コイル部品の省スペース化も実現可能となる。
【発明を実施するための最良の形態】
【００１５】
以下、本発明の一実施の形態に係るコイル部品１０について、図１から図９に基づいて説明する。図１は、本発明のコイル部品１０の構成を示す斜視図である。また、図２は、コイル部品１０の構成を示す平面図であり、図３は、コイル部品１０の構成を示す底面図である。また、図４は、コイル部品１０の構成を示す半断面図である。
【００１６】
なお、以下の実施の形態においては、上下方向とは、図１におけるＸ方向を指すものとする。そして、このＸ方向において、上鍔部２１から見て下鍔部２２が存在する側を下側とし、その逆側を上側とする。
【００１７】
図１に示すように、コイル部品１０は、ドラムコア２０と、コイル３０と、リングコア４０と、端子部材５０と、を具備している。これらのうち、ドラムコア２０は、円盤状の上鍔部２１と、同じく円盤状の下鍔部２２と、円柱状の柱脚部２３とを具備している。これらのうち、上鍔部２１は、第１の鍔部に対応し、下鍔部２２よりも大径に設けられている。また、下鍔部２２は、第２の鍔部に対応する。
【００１８】
なお、本実施の形態では、上鍔部２１の直径は、リングコア４０のＹ方向およびＺ方向に沿う長さ寸法と略同程度か、若干小さく設けられている（図２等参照）。また、下鍔部２２は、リングコア４０の挿通孔４１に挿通可能に設けられている。そのため、下鍔部２２の直径は、挿通孔４１の直径よりも僅かに小さくなるように設けられている。また、下鍔部２２と挿通孔４１との間には、僅かに隙間が存在している（図３等参照）。しかしながら、かかる隙間が存在しない構成を採用しても良い。
【００１９】
また、柱脚部２３は、この外周にコイル３０が配置される部分である。なお、この柱脚部２３の直径は、コイル部品１０に設定されるインダクタンス値に応じて設定されるが、その外周にコイル３０を設置可能でかつ強度的に問題ない程度に設計される。また、以下の説明においては、上鍔部２１、下鍔部２２および柱脚部２３で囲まれて、コイル３０が配置される部分を巻枠部２４とする。
【００２０】
このドラムコア２０は、その材質を、例えばフェライトとしている。しかしながら、ドラムコア２０の材質は、フェライトには限られず、パーマロイ、センダスト等、種々の磁性材料を用いることが可能である。
【００２１】
また、ドラムコア２０の外周には、コイル３０が配置される。本実施の形態では、コイル３０は２つ設けられている。これら２つのコイル３０のうち、第１のコイル３０Ａは、後述する第１の開口部４５Ａに一端側の端末３２Ａ１が位置すると共に、後述する第２の開口部４５Ｂに他端側の端末３２Ａ２が位置する。ここで、本実施の形態では、第１のコイル３０Ａの一端側の端末３２Ａ１と、第１のコイル３０Ａの他端側の端末３２Ａ２とは、図７において共に左側に位置する状態となっている。同様に、第２のコイル３０Ｂの一端側の端末３２Ｂ１は、後述する第１の開口部４５Ａに位置すると共に、第２のコイル３０Ｂの他端側の端末３２Ｂ２は、後述する第２の開口部４５Ｂに位置している。また、本実施の形態では、第２のコイル３０Ｂの一端側の端末３２Ｂ１と、第２のコイル３０Ｂの他端側の端末３２Ｂ２とは、図７において共に右側に位置する状態となっている。
【００２２】
なお、以下の説明においては、端末３２Ａ１，３２Ａ２の両方を指す場合、端末３２Ａと称呼すると共に、端末３２Ｂ１，３２Ｂ２の両方を指す場合、端末３２Ｂと称呼する。
【００２３】
ここで、第１のコイル３０Ａと第２のコイル３０Ｂとを形成する場合、第１のコイル３０Ａを構成する第１の導線３１Ａと第２のコイル３０Ｂを構成する第２の導線３１Ｂとが、互いに隣り合う状態（密接する状態）で、同時に同じ向きに巻回する。それにより、第１のコイル３０Ａと第２のコイル３０Ｂとは、その巻数が略等しくなる。しかしながら、第１の導線３１Ａと第２の導線３１Ｂとの巻回手法はこれには限られず、第１の導線３１Ａと第２の導線３１Ｂとの巻回の向きが、互いに逆向きとなるように巻回する等、種々の手法を採用することが可能である。
【００２４】
なお、第１の導線３１Ａおよび第２の導線３１Ｂは、エナメル線等の絶縁被膜で覆われていて、実装部５３に接続される部位において絶縁被膜が剥がされた状態となっている。
【００２５】
また、図５、図６に示すように、リングコア４０は、その平面形状の中央部に挿通孔４１を有すると共に、この平面形状は、矩形状の四隅を所定形状に切り欠いた（切り落とした）状態に設けられている。なお、以下の説明では、四隅の切り欠き部分（切り落とし部分）を、窪み部４２とする。
【００２６】
このリングコア４０は、その材質を、例えばドラムコア２０と同様に、フェライトとしている。しかしながら、リングコア４０の材質は、フェライトには限られず、パーマロイ、センダスト等、種々の磁性材料を用いることが可能である。
【００２７】
このリングコア４０には、図１、図６等においてＹ方向に沿う状態で、一対の凸状周壁部４３が設けられている。この凸状周壁部４３は、その外壁面４３ａが略平面状となるように設けられている。また、リングコア４０には、図１、図６等においてＺ方向に沿うように、一対の凹状周壁部４４が設けられている。この凹状周壁部４４も、その外壁面４４ａが略平面状となるように設けられている。
【００２８】
ここで、凸状周壁部４３の上面４３ｂは、凹状周壁部４４の上面４４ｂよりも高く設けられている。そして、この凸状周壁部４３の上面４３ｂには、上鍔部２１の下面２１ａ（図４参照）が、接着剤を介して接触する。また、凹状周壁部４４の上面４４ｂと、凸状周壁部４３の側面４３ｃとで、凹形状の部分が設けられている。なお、この凹形状の部分は、切欠部に対応し、上鍔部２１の下面２１ａが上面４３ｂに接触する場合でも、開口状態に設けられている。そのため、以下の説明においては、この凹形状の部分を、開口部４５と称呼するが、図７において端末３２Ａ１，３２Ｂ１が位置する側の開口部４５を開口部４５Ａ、端末３２Ａ２，３２Ｂ２が位置する側の開口部４５を開口部４５Ｂと称呼する。
【００２９】
また、図５に示すように、凸状周壁部４３のＹ方向における長さ寸法Ｌ１は、リングコア４０のＹ方向における長さ寸法Ｌ０よりも小さく設けられている。ここで、凸状周壁部４３のＹ方向における両端側には、それぞれ端子部材５０が配置される。端子部材５０の一部分は、凸状周壁部４３の端面４３ｄに、面接触する状態で配置される。ここで、端子部材５０の一部が端面４３ｄに面接触する状態で配置されても、当該端子部材５０は、凹状周壁部４４の外壁面４４ａよりも、Ｙ方向に置いて突出しない状態に設けられている。なお、本実施の形態では、端面４３ｄは、外壁面４４ａに対して略９０度を為している。また、この端面４３ｄは、外壁面４３ａに対して連続しておらず、当該端面４３ｄと外壁面４３ａとの間には、平面視の状態で両者に対して略４５度の角度を為す斜面４３ｅが設けられている。この斜面４３ｅは、端子部材５０に対して面接触せずに、所定の隙間を有する状態に設けられている。なお、この斜面４３ｅを省略する構成を採用しても良い。
【００３０】
また、凸状周壁部４３の両端部における上面４３ｂの幅寸法は、Ｚ方向において端子部材５０の幅寸法よりも若干大きく設けられている。それにより、凸状周壁部４３の両端側に端子部材５０を配置しても、当該端子部材５０がＺ方向において突出しないように設けられている。なお、凸状周壁部４３の外壁面４３ａおよび上面４３ｂのＹ方向に沿う長さ寸法は、凹状周壁部４４の外壁面４４ａおよび上面４４ｂのＺ方向に沿う長さ寸法よりも長く設けられている。
【００３１】
また、凸状周壁部４３の下面４３ｆ（実装面に対応；図４参照）は、凹状周壁部４４の下面４４ｃと面一となるように設けられている。しかしながら、凸状周壁部４３の下面４３ｆ側には、位置決め凹部４６が設けられている。この位置決め凹部４６は、Ｙ方向の略中央部に設けられている。かかる位置決め凹部４６には、後述する端子部材５０の位置決め部５４が位置する。なお、位置決め凹部４６の深さ寸法は、端子部材５０の位置決めが良好に行える程度であれば良い。また、この位置決め凹部４６のうち、Ｙ方向の端部側から中央に向かいテーパ面４６ａが設けられていて、端子部材５０の折り曲げ形状に対応させている。
【００３２】
また、端子部材５０の側縁は、凹状周壁部４４のＹ方向に沿う側面４４ｄ（図５参照）に、係止可能に設けられている。この凹状周壁部４４の上面４４ｂからは、第１のコイル３０Ａまたは第２のコイル３０Ｂの端末３２Ａ，３２Ｂが引き出される。そのため、凹状周壁部４４の上面４４ｂの高さ寸法は、凸状周壁部４３の上面４３ｂの高さ寸法よりも、第１の導線３１Ａまたは第２の導線３１Ｂの直径分よりも低く設けられている。
【００３３】
なお、リングコア４０の周方向においては、上面４４ｂ（開口部４５）は、９０度よりも小さい角度範囲に亘るように設けられている。
【００３４】
また、端子部材５０は、図６等に示すように、端面取付部５１と、絡げ部５２と、実装部５３と、位置決め部５４とを有している。これらのうち、端面取付部５１の一部は、端面４３ｄに面接触する状態で取り付けられる部分である。そのため、端子部材５０を取り付けた状態では、端面取付部５１は、上下方向に延伸する状態で配置される。なお、端面取付部５１の側縁は、凹状周壁部４４の側面４４ｄに係止する状態に設けられる。
【００３５】
また、端子部材５０には、端面取付部５１に面一となる状態で絡げ部５２が設けられている。この絡げ部５２は、端子部材５０をリングコア４０に取り付けた状態では、端面取付部５１のうち、側面４４ｄと係止する側縁と反対側の側縁からＺ方向に沿って延伸するように設けられている。なお、この絡げ部５２には、第１のコイル３０Ａまたは第２のコイル３０Ｂの端末３２Ａ，３２ｂが絡げられ、当該絡げの後に半田付け等によって端子部材５０と第１のコイル３０Ａまたは第２のコイル３０Ｂとが電気的に接続される。そのため、絡げ部５２の突出長さは、外壁面４３ａからは突出せず、かつ端末３２Ａ，３２Ｂを良好に絡げることが可能な長さ寸法に設けられている。
【００３６】
なお、端子部材５０が窪み部４２に取り付けられる状態では、当該端子部材５０は、外壁面４３ａと外壁面４４ａとで構成される、平面視矩形状の範囲の内部に収まる状態となる。
【００３７】
また、端子部材５０には、端面取付部５１に対して折り曲げられる状態で実装部５３が設けられている。この実装部５３の上面は、凸状周壁部４３の下面４３ｆに対して、例えば接着剤を介して面接触する部分である。また、実装部５３の下面は、不図示の実装基板の実装部位に対して例えば半田等を介して接合される。なお、この実装部５３は、端面取付部５１に対して略９０度を為す状態で折り曲げられている。また、図３等に示すように、凸状周壁部４３の下面４３ｆ側は、挿通孔４１の存在により、Ｙ方向の中心に向かうにつれて凸状周壁部４３の幅寸法が小さくなるように設けられている。かかる幅寸法に対応させて、実装部５３を挿通孔４１側に突出させないため、実装部５３および位置決め部５４の幅寸法は、凸状周壁部４３の幅寸法と同程度であるか、またはやや小さくなるように設けられている。
【００３８】
また、図１、図６等に示すように、実装部５３のうち端面取付部５１から離間する先端側からは、位置決め部５４が延伸している。この位置決め部５４は、位置決め凹部４６に入り込む部分である。そのため、この位置決め部５４は、実装部５３に対してテーパ面４６ａと同程度の傾斜角度を為すように設けられている。また、位置決め部５４のＹ方向に沿う長さ寸法は、テーパ面４６ａよりも短く設けられている。
【００３９】
以上のような構成を有するコイル部品１０の特性について、図９等に基づいて説明する。図９は、コイル部品１０のインピーダンス−周波数特性を示すものである。この図９において、実線は、本実施の形態におけるコイル部品１０の特性を示し、破線は、特許文献１に示すようなコイル部品１１の特性を示す。
【００４０】
この図９から明らかなように、本実施の形態におけるコイル部品１０では、インピーダンスが従来のコイル部品１１よりも低くなっている。このため、ノーマルモード信号がコイル部品１０に入力されても、さほど減衰が生じずに、良好に透過させることが可能となっている。これに対して、従来のコイル部品１１では、本実施の形態におけるコイル部品１０よりもインピーダンスが高いため、ノーマルモード信号が入力される場合、信号の減衰が大きくなってしまう。
【００４１】
このため、本実施の形態におけるコイル部品１０の方が、従来のコイル部品１１よりも、コモンモードチョークコイルとして良好な特性を奏させることが可能となっている。
【００４２】
なお、本実施の形態におけるコイル部品１０の方が、従来のコイル部品１１よりも良好な特性を奏する原因として、コイル３０Ａ，３０Ｂの間の巻回する位置の差が想定される。具体的には、本実施の形態のコイル部品１０では、第１のコイル３０Ａと第２のコイル３０Ｂとの間の巻回の位置の差が、ほとんどない。すなわち、本実施の形態におけるコイル部品１０では、第１のコイル３０Ａの端末３２Ａ１と、第２のコイル３０Ｂの端末３２Ｂ１とは、共に開口部４５Ａに位置する（共に開口部４５Ａから引き出される）状態となっている（図７参照）。また、第１のコイル３０Ａの端末３２Ａ２と、第２のコイル３０Ｂの端末３２Ｂ２とは、共に開口部４５Ｂに位置する（共に開口部４５Ｂから引き出される）状態となっている。
【００４３】
このため、第１のコイル３０Ａと第２のコイル３０Ｂとは、同一の巻数を実現可能となる。加えて、第１のコイル３０Ａと第２のコイル３０Ｂとは、周方向における巻回の開始位置／終了位置を概ね等しくすることが可能となる。それにより、ノーマル信号が第１のコイル３０Ａと第２のコイル３０Ｂとに入力される場合、第１のコイル３０Ａと第２のコイル３０Ｂとの間で磁束を打ち消し合い、良好にノーマルモード信号を透過させることが可能となる。また、２つのコイルの間で磁束が打ち消されることにより、ノーマルモード信号に対するインピーダンスを低下させることが可能となっている。
【００４４】
特に、本実施の形態におけるコイル部品１０では、１０ＭＨｚ〜１００ＭＨｚ付近の周波数のノーマルモード信号に対して、インピーダンスを大幅に低下させており、ノーマルモード特性が良好となっている。
【００４５】
一方、特許文献１に示すようなコイル部品１１（図８参照）においては、リングコア４００の四隅に、溝部４０１が設けられている。このため、コイル部品１１においては、周方向における巻回の開始位置／終了位置は、２つのコイルの間で、略９０度程度ずれている。このため、ノーマルモード信号が入力される場合、巻回の開始位置／終了位置側の、略９０度程度のずれの部分では、第１のコイルと第２のコイルとの間の磁束は完全には打ち消されず、略９０度程度の位置のずれの分だけ、インピーダンスが残留している可能性がある。すなわち、２つのコイルは、僅かにずれた状態で配置されている状態となり、そのずれの分は、磁気結合に関与しないため、ノーマルモード信号に対するインピーダンスとして関与している可能性がある。
【００４６】
以上のような構成を有するコイル部品１０によると、上述の図９に示されるように、ノーマルモード特性を良好にすることが可能となる。すなわち、コイル部品１０においては、ノーマルモード信号に対するインピーダンスを低下させることが可能となる。
【００４７】
加えて、本実施の形態におけるコイル部品１０においては、端子部材５０は窪み部４２に取り付けられるが、この端子部材５０は、４つの周壁部４３，４４を結んだ平面視矩形状の内部に収まる状態で配置される。そのため、端子部材５０が外方に突出するのを防ぐことが可能となり、コイル部品１０の省スペース化を図ることが可能となる。
【００４８】
また、端子部材５０には、絡げ部５２が設けられているので、第１のコイル３０Ａまたは第２のコイル３０Ｂの端末３２Ａ，３２Ｂを良好に絡げさせることが可能となる。また、絡げ部５２は、開口部４５から離間する方向に向かって延伸しているので、第１の導線３１Ａと第２の導線３１Ｂとが、短絡するのを良好に防止可能となっている。
【００４９】
さらに、端子部材５０には、位置決め部５４が設けられているため、リングコア４０に対して端子部材５０の位置決めを良好に行わせる状態で、取付固定させることが可能となる。それにより、リングコア４０に対する、端子部材５０の接着強度を向上させることが可能となり、コイル部品１０の耐衝撃性を向上させることが可能となる。
【００５０】
また、上述のコイル部品１０では、リングコア４０の四隅を切り欠く（切り落とす）状態で、窪み部４２が設けられている。ここで、リングコア４０の四隅は、当該リングコア４０の中心から最も離間している部位となっている。このため、上記の切り欠きによってコアボリュームを削減しても、磁気特性には影響がない。従って、コイル部品１０は、コモンモード特性への悪影響を防止しつつ、省スペース化を実現可能としている。
【００５１】
以上、本発明の一実施の形態に係るコイル部品１０について説明したが、本発明はこれ以外にも種々変形可能となっている。以下、それについて述べる。
【００５２】
上述の実施の形態においては、２つのコイルを用いる場合について説明している。しかしながら、コイルは、２つには限られず、３つ以上用いる構成を採用しても良い。また、上述の実施の形態においては、第１の鍔部を上鍔部２１、第２の鍔部を下鍔部２２としているが、第１の鍔部を下鍔部２２、第２の鍔部を上鍔部２１として構成しても良い。
【００５３】
また、上述の実施の形態では、リングコア４０の四隅に窪み部４２が存在する構成を採用している。しかしながら、リングコアの省スペース化がさほど重要でない場合、窪み部が存在する構成を採用しなくても良い。
【００５４】
また、上述の実施の形態では、リングコア４０として、平面視矩形状のコア部材の四隅を切り欠いた（切り落とした）形状のものを用いている。しかしながら、リングコアはこれには限られず、平面視矩形状以外に、例えば平面視六角形状、八角形状等、種々の多角形状を用いることが可能である。また、リングコアとしては、円形リング状の物を用いても良い。
【００５５】
また、上述の実施の形態では、端子部材５０には絡げ部５２が設けられている。しかしながら、端子部材５０に絡げ部５２を設ける構成を採用せずに、例えば半田付け、レーザ溶接等の手段により、端末３２Ａ，３２Ｂを端子部材に対して電気的に接合するようにしても良い。また、上述の実施の形態では、端子部材には位置決め部５４が設けられている。しかしながら、端子部材として、かかる位置決め部が存在しない構成を採用しても良い。なお、端子部材に位置決め部が存在しない構成を採用する場合、リングコア４０において位置決め凹部４６が存在しない構成を採用しても良い。
【００５６】
また、上述の実施の形態では、開口部４５は、上面４４ｂから所定深さだけ窪んだ凹部形状となっている。しかしながら、開口部はこれには限られず、例えばリングコア４０を貫く孔形状、溝形状等、挿通孔４１と外方とを打ち抜く種々の形状を採用することが可能である。
【００５７】
さらに、上述の実施の形態においては、ドラムコア２０は、上鍔部２１と下鍔部２２と柱脚部２３とは一体的に設けられているが、これらが別体的に設けられる構成を採用しても良い。
【産業上の利用可能性】
【００５８】
本発明のコイル部品は、電気機器の分野において利用することができる。
【図面の簡単な説明】
【００５９】
【図１】本発明の一実施の形態に係るコイル部品の構成を示す斜視図である。
【図２】図１のコイル部品の構成を示す平面図である。
【図３】図１のコイル部品の構成を示す底面図である。
【図４】図１のコイル部品のうち、側面形状と断面形状を示す図である。
【図５】図１のコイル部品からドラムコアを取り除いた状態を示す平面図である。
【図６】図１のコイル部品からドラムコアを取り除いた状態を示す斜視図である。
【図７】図１のコイル部品からコイルの端末を引き出した状態を示すと共にドラムコアを取り除いた状態を示す平面図である。
【図８】従来の四隅に４つの溝部を備えるコイル部品のイメージを示す平面図である。
【図９】図１のコイル部品および図８のコイル部品のノーマルモード特性を示す図である。
【符号の説明】
【００６０】
１０…コイル部品
２０…ドラムコア
３０，３０Ａ，３０Ｂ…コイル
３０Ａ…第１のコイル
３０Ｂ…第２のコイル
３１Ａ…第１の導線
３１Ｂ…第２の導線
３２Ａ１，３２Ａ２，３２Ｂ１，３２Ｂ２…端末
４０…リングコア
４１…挿通孔
４２…窪み部
４３…凸状周壁部
４４…凹状周壁部
４５…開口部
４６…位置決め凹部
５０…端子部材
５１…端面取付部
５２…絡げ部
５３…実装部
５４…位置決め部
【図１】
2008172155.tif 000003
【図２】
2008172155.tif 000004
【図３】
2008172155.tif 000005
【図４】
2008172155.tif 000006
【図５】
2008172155.tif 000007
【図６】
2008172155.tif 000008
【図７】
2008172155.tif 000009
【図８】
2008172155.tif 000010
【図９】
2008172155.tif 000011